(57)【特許請求の範囲】
【請求項１】
波に乗って上下に往復運動できる浮体（５）を含み、前記浮体（５）の下には水流ガイド加速盤（２）が接続され、前記水流ガイド加速盤（２）はディスク（２０１）からなり、前記ディスク（２０１）はアウターリング（２０１０）からなり、前記アウターリング（２０１０）の中にはディスクコア（２０１１）があり、前記アウターリング（２０１０）とディスクコア（２０１１）との間には環状分布に複数の同じ傾斜方向の斜めのガイドプレート（２０１２）が設置され、前記アウターリング（２０１０）と前記ディスクコア（２０１１）および隣接するガイドプレート（２０１２）との間には水路（２０２）が形成され、前記水路の吐水口（２０２２）の所には水流ガイド加速盤（２）上にロッキングされ、それに向いて回転できる羽根車（１）が設置され、前記羽根車（１）上には環状分布に複数の羽根（１０１）が設置され、前記羽根（１０１）と前記吐水口（２０２２）は向かい合いになっていて、水の流れを前記吐水口（２０２２）から流出されて前記羽根（１０１）を衝撃して羽根車（１）を回転させ、前記水流ガイド加速盤（２）には格納スペース（２０８）が設置され、前記格納スペース（２０８）の中には前記羽根車（１）が回転子（４０２）を回転させる発電機（４）が設置されることを特徴とする静水波力発電装置。
【請求項２】
前記静水層波力発電装置において、前記格納スペース（２０８）は前記ディスクコア（２０１１）の前記羽根車（１）側に近い中部に設置され、前記発電機（４）の外固定子（４０１）は前記ディスクコア（２０１１）上に固定接続され、前記発電機（４）の内回転子（４０２）は前記羽根車（１）の回転軸（１０２）上に接続され、回転軸（１０２）によって駆動回転されることを特徴とする請求項１に記載の静水層波力発電装置。
【請求項３】
前記静水層波力発電装置において、前記格納スペース（２０８）は前記ディスクコア（２０１１）の前記羽根車（１）側に近い中部に設置され、前記発電機（４）の外固定子（４０１）は前記ディスクコア（２０１１）上に固定接続され、前記発電機（４）の内回転子（４０２）は前記羽根車（１）の回転軸（１０２）上に接続され、回転軸（１０２）によって駆動回転されることを特徴とする請求項１に記載の静水層波力発電装置。
【請求項４】
前記静水層波力発電装置において、前記アウターリング（２０１０）は円筒形で、前記ディスクコア（２０１１）は円錐体で、前記ガイドプレート（２０１２）はアウターリング（２０１０）の底部に設置され、前記アウターリング（２０１０）の上部とディスクコア（２０１１）は水入れキャビティ（２０１５）を形成することを特徴とする請求項３に記載の静水層波力発電装置。
【請求項５】
前記静水層波力発電装置において、前記羽根（１０１）はアーチ形の羽根であり、前記羽根（１０１）の凹面は吐水口（２０２２）を向いていて、水が前記吐水口（２０２２）から流出される際、前記羽根（１０１）の凹面を衝撃させることを特徴とする請求項１に記載の静水層波力発電装置。
【請求項６】
前記静水層波力発電装置において、前記浮体（５）の下には下り向け加圧盤（６）が接続され、前記下り向け加圧盤６の中には水入れキャビティ（６０１）が設置され、前記水入れキャビティ（６０１）の上部は開口状で、底部には水漏れ小径穴（６０２）が設置されることを特徴とする請求項１に記載の静水層波力発電装置。
【請求項７】
前記静水層波力発電装置において、前記アウターリング（２０１０）の外側には複数の縦方向回転防止プレート（２０５）が設置され、前記縦方向回転防止プレート（２０５）の縦方向高さは厚さに比べてはるかに大きく、前記下り向け加圧盤（６）の外側には複数の回転防止イヤープレート（６０３）が設置され、前記縦方向回転防止プレート（２０５）は前記回転防止イヤープレート（６０３）と固定接続されることを特徴とする請求項７に記載の静水層波力発電装置。
【請求項８】
波に乗って上下に往復運動できる浮体５を含み、前記浮体（５）の下には水流ガイド加速盤（２）が接続され、前記水流ガイド加速盤（２）はディスク（２０１）からなり、前記ディスク（２０１）はアウターリング（２０１０）からなり、前記アウターリング（２０１０）の中にはディスクコア（２０１１）があり、前記アウターリング（２０１０）とディスクコア（２０１１）との間には環状分布に複数の同じ傾斜方向の斜めのガイドプレート（２０１２）が設置され、前記アウターリング（２０１０）と前記ディスクコア（２０１１）および隣接するガイドプレート（２０１２）との間には水路（２０２）が形成され、前記水路の吐水口（２０２２）の所には水流ガイド加速盤（２）上にロッキングされ、それに向いて回転できる羽根車（１）が設置され、前記羽根車（１）上には環状分布に複数の羽根（１０１）が設置され、前記羽根（１０１）と前記吐水口（２０２２）は向かい合いになっていて、水の流れを前記吐水口（２０２２）から流出されて前記羽根（１０１）を衝撃して羽根車（１）を回転させ、前記水流ガイド加速盤（２）には格納スペース（２０８）が設置され、前記格納酢ベース（２０８）の中には前記羽根車（１）によって駆動されるエアコンプレッサー（８）が設置され、前記エアコンプレッサー（８）吸気口と排気口にはそれぞれ水面に延び出される吸気管（９）と排気管（１０）が接続され、前記排気管（１０）は発電機を駆動する気圧モータ（１１）と繋がることを特徴とする静水層波力発電装置。
【請求項９】
前記静水層波力発電装置において、前記エアコンプレッサー（８）はスクリュー式エアコンプレッサーで、その中には、コンプレッサーケーシング（８０１）が含まれ、前記コンプレッサーケーシング（８０１）の中にはお互いに噛み合うメイン回転子（８０２）とサブ回転子（８０３）が設置されることを特徴とする請求項８に記載の静水層波力発電装置。
【請求項１０】
前記静水層波力発電装置において、前記水流ガイド加速盤（２）は２つあり、それぞれ前記羽根車（１）の上下両側に設置され、２つの前記水流ガイド加速盤（２）の中にはいずれも前記エアコンプレッサー（８）が設置されることを特徴とする請求項８に記載の静水層波力発電装置。
【請求項１１】
波に乗って上下に往復運動できる浮体（５）を含み、前記浮体（５）の下には水流ガイド加速盤（２）が接続され、前記水流ガイド加速盤（２）はディスク（２０１）からなり、前記ディスク（２０１）はアウターリング（２０１０）からなり、前記アウターリング（２０１０）の中にはディスクコア（２０１１）があり、前記アウターリング（２０１０）とディスクコア（２０１１）との間には環状分布に複数の同じ傾斜方向の斜めのガイドプレート（２０１２）が設置され、前記アウターリング（２０１０）と前記ディスクコア（２０１１）および隣接するガイドプレート（２０１２）との間には水路（２０２）が形成され、前記水路の吐水口（２０２２）の所には水流ガイド加速盤（２）上にロッキングされ、それに向いて回転できる羽根車（１）が設置され、前記羽根車（１）上には環状分布に複数の羽根（１０１）が設置され、前記羽根（１０１）と前記吐水口（２０２２）は向かい合いになっていて、水の流れを前記吐水口（２０２２）から流出されて前記羽根（１０１）を衝撃して羽根車（１）を回転させ、前記水流ガイド加速盤（２）には格納スペース（２０８）が設置され、前記格納スペース（２０８）の中には前記羽根車（１）によって駆動される油圧ポンプ（１５）が設置され、前記油圧ポンプ（１５）の給油管（１６）と排油管（１７）はそれぞれ水面に伸びだされ、前記給油管（１６）と排油管（１７）はそれぞれ発電機を駆動する油圧モータ（１９）と繋がることを特徴とする静水層波力発電装置。
【発明の詳細な説明】
【技術分野】
【０００１】
本発明は静水波力発電装置に関するものである。
【背景技術】
【０００２】
波力発電は汚染がなく、燃料を消耗しない特長があるため、如何に海水の波に持たれているエネルギーを利用して発電するかは世界各国海洋工程研究者たちの研究目的となっている。
【０００３】
海の中での波力発電は、静水層波力発電装置を利用して、波の運動エネルギーを電気エネルギーに換えることである。静水層波力発電装置は波のエネルギーを効果的に吸収するために、その運行形式は波の上下運動特性によってデザインされ、安定した運動メカニズムによって運動エネルギーが得られ、さらに発電に使われる。つまり、波の上下運動を回転軸の回転運動に転換させることである。波の不安定性によって。既存の発電設備の一種は海底に設置されるが、発電設備が煩雑で、発電設備が海水の腐食や波の浸食によって破壊されるので、寿命が短く、施工やメンテナンスのコストが相対的に高いなろの問題があり、他の一種は海面に浮かべられるが、既存のこれらの発電機は一般的に羽根車で発電機の回転子を動かして、右回り・左回りに交替に回転させることによって発電するが、多くのエネルギーはもったえなく消耗されてしまうので、波力発電技術を研究し、発電機の構造を簡略化することは重要な意義がある。
【発明の概要】
【発明が解決しようとする課題】
【０００４】
本発明は既存技術に存在する欠点を克服し、構造が簡単で、水流に加速加圧して、伝動エネルギー消耗を低減した静水層波力発電装置を提供することに目的がある。
【課題を解決するための手段】
【０００５】
波に乗って上下に往復運動できる浮体５を含み、前記浮体５の下には水流ガイド加速盤２が接続され、前記水流ガイド加速盤２はディスク２０１からなり、前記ディスク２０１はアウターリング２０１０からなり、前記アウターリング２０１０の中にはディスクコア２０１１があり、前記アウターリング２０１０とディスクコア２０１１との間には環状分布に複数の同じ傾斜方向の斜めのガイドプレート２０１２が設置され、前記アウターリング２０１０と前記ディスクコア２０１１および隣接するガイドプレート２０１２との間には水路２０２が形成され、前記水路の吐水口２０２２の所には水流ガイド加速盤２上にロッキングされ、それに向いて回転できる羽根車１が設置され、前記羽根車１上には環状分布に複数の羽根１０１が設置され、前記羽根１０１と前記吐水口２０２２は向かい合いになっていて、水の流れを前記吐水口２０２２から流出されて前記羽根１０１を衝撃して羽根車１を回転させ、前記水流ガイド加速盤２には格納スペース２０８が設置され、前記格納スペース２０８の中には前記羽根車１が回転子４０２を回転させる発電機４が設置されることを特徴とする静水波力発電装置である。
【０００６】
前記静水層波力発電装置において、前記格納スペース２０８は前記ディスクコア２０１１の前記羽根車１側に近い中部に設置され、前記発電機４の外固定子４０１は前記ディスクコア２０１１上に固定接続され、前記発電機４の内回転子４０２は前記羽根車１の回転軸１０２上に接続され、回転軸１０２によって駆動回転されることを特徴とする静水層波力発電装置である。
【０００７】
前記静水槽波力発電装置において、前記ディスクコア２０１１と前記アウターリング２０１０は少なくとも１つが円錐体になっていて、前記水路２０２の横断面は段々変化され、前記吐水口２０２２は比較的小さくなることを特徴とする静水層波力発電装置である。
【０００８】
前記静水層波力発電装置において、前記アウターリング２０１０は円筒形で、前記ディスクコア２０１１は円錐体で、前記ガイドプレート２０１２はアウターリング２０１０の底部に設置され、前記アウターリング２０１０の上部とディスクコア２０１１は水入れキャビティ２０１５を形成することを特徴とする静水層波力発電装置である。
【０００９】
前記静水層波力発電装置において、前記羽根１０１はアーチ形の羽根であり、前記羽根１０１の凹面は吐水口２０２２を向いていて、水が前記吐水口２０２２から流出される際、前記羽根１０１の凹面を衝撃させることを特徴とする静水層波力発電装置である。
【００１０】
前記静水層波力発電装置において、前記浮体５の下には下り向け加圧盤６が接続され、前記下り向け加圧盤６の中には水入れキャビティ６０１が設置され、前記水入れキャビティ６０１の上部は開口状で、底部には水漏れ小径穴６０２が設置されることを特徴とする静水層波力発電装置である。
【００１１】
前記静水層波力発電装置において、前記アウターリング２０１０の外側には複数の縦方向回転防止プレート２０５が設置され、前記縦方向回転防止プレート２０５の縦方向高さは厚さに比べてはるかに大きく、前記下り向け加圧盤６の外側には複数の回転防止イヤープレート６０３が設置され、前記縦方向回転防止プレート２０５は前記回転防止イヤープレート６０３と固定接続されることを特徴とする静水層波力発電装置である。
【００１２】
波に乗って上下に往復運動できる浮体５を含み、前記浮体５の下には水流ガイド加速盤２が接続され、前記水流ガイド加速盤２はディスク２０１からなり、前記ディスク２０１はアウターリング２０１０からなり、前記アウターリング２０１０の中にはディスクコア２０１１があり、前記アウターリング２０１０とディスクコア２０１１との間には環状分布に複数の同じ傾斜方向の斜めのガイドプレート２０１２が設置され、前記アウターリング２０１０と前記ディスクコア２０１１および隣接するガイドプレート２０１２との間には水路２０２が形成され、前記水路の吐水口２０２２の所には水流ガイド加速盤２上にロッキングされ、それに向いて回転できる羽根車１が設置され、前記羽根車１上には環状分布に複数の羽根１０１が設置され、前記羽根１０１と前記吐水口２０２２は向かい合いになっていて、水の流れを前記吐水口２０２２から流出されて前記羽根１０１を衝撃して羽根車１を回転させ、前記水流ガイド加速盤２には格納スペース２０８が設置され、前記格納酢ベース２０８の中には前記羽根車１によって駆動されるエアコンプレッサー８が設置され、前記エアコンプレッサー８吸気口と排気口にはそれぞれ水面に延び出される吸気管９と排気管１０が接続され、前記排気管１０は発電機を駆動する気圧モータ１１と繋がることを特徴とする静水層波力発電装置である。
【００１３】
前記静水層波力発電装置において、前記エアコンプレッサー８はスクリュー式エアコンプレッサーで、その中には、コンプレッサーケーシング８０１が含まれ、前記コンプレッサーケーシング８０１の中にはお互いに噛み合うメイン回転子８０２とサブ回転子８０３が設置されることを特徴とする静水層波力発電装置である。
【００１４】
前記静水層波力発電装置において、前記水流ガイド加速盤２は２つあり、それぞれ前記羽根車１の上下両側に設置され、２つの前記水流ガイド加速盤２の中にはいずれも前記エアコンプレッサー８が設置されることを特徴とする静水層波力発電装置である。
【００１５】
波に乗って上下に往復運動できる浮体５を含み、前記浮体５の下には水流ガイド加速盤２が接続され、前記水流ガイド加速盤２はディスク２０１からなり、前記ディスク２０１はアウターリング２０１０からなり、前記アウターリング２０１０の中にはディスクコア２０１１があり、前記アウターリング２０１０とディスクコア２０１１との間には環状分布に複数の同じ傾斜方向の斜めのガイドプレート２０１２が設置され、前記アウターリング２０１０と前記ディスクコア２０１１および隣接するガイドプレート２０１２との間には水路２０２が形成され、前記水路の吐水口２０２２の所には水流ガイド加速盤２上にロッキングされ、それに向いて回転できる羽根車１が設置され、前記羽根車１上には環状分布に複数の羽根１０１が設置され、前記羽根１０１と前記吐水口２０２２は向かい合いになっていて、水の流れを前記吐水口２０２２から流出されて前記羽根１０１を衝撃して羽根車１を回転させ、前記水流ガイド加速盤２には格納スペース２０８が設置され、前記格納スペース２０８の中には前記羽根車１によって駆動される油圧ポンプ１５が設置され、前記油圧ポンプ１５の給油管１６と排油管１７はそれぞれ水面に伸びだされ、前記給油管１６と排油管１７はそれぞれ発電機を駆動する油圧モータ１９と繋がることを特徴とする静水層波力発電装置である。
【発明の効果】
【００１６】
１．本発明の発電機は水流ガイド加速盤の中に設置されるので、伝動構造と伝動中エネルギー消耗を低減することができ、アーチ形円錐状ディスクコアとプレート状のガイドプレートを使用することによって、水流に対する加速効果がより良くなり、波のエネルギー収集効率がより高くなり、アーチ形の羽根車羽根によって水流の運動エネルギーを集めることができる。
【００１７】
２．本発明ではエアコンプレッサー又は油圧システムを使って、波のエネルギーを圧力エネルギーに転化させてから、気圧又は油圧モータを使って運動エネルギーに転化させて、最後に発電機を通じて運動エネルギーを電気エネルギーに転化させる。これによって、発電機の電気素子は水に入れて作動させる必要がなくなるので、破損し難く、メンテナンスコストも低くなり、密封コストも低減される。
【００１８】
３．複数のエアコンプレッサー又は油圧ポンプによって生じる高圧ガス又は液体を集めることが簡単になり、高圧ガスを集めることも簡単になる。
【図面の簡単な説明】
【００１９】
【図１】本発明実施例１の立体図である。
【図２】本発明実施例１の分解図である。
【図３】本発明実施例１の分解図である。
【図４】本発明実施例１の断面図である。
【図５】本発明実施例１の上下運動水流方向の見取図である。
【図６】本発明実施例１の上下運動水流方向の見取図である。
【図７】本発明実施例２の立体図である。
【図８】本発明実施例２の立体図である。
【図９】本発明実施例２の分解図である。
【図１０】本発明実施例２の断面図である。
【図１１】本発明実施例２の複数装置の高圧ガス合流使用状態図である。
【図１２】発明実施例３の立体図である。
【図１３】発明実施例３の分解図である。
【発明を実施するための形態】
【００２０】
次では添付図に合わせて本発明について詳しく説明するものとする。
【実施例１】
【００２１】
波に乗って上下に往復運動できる浮体５を含み、前記浮体５の下には水流ガイド加速盤２が接続され、前記水流ガイド加速盤２はディスク２０１からなり、前記ディスク２０１はアウターリング２０１０からなり、前記アウターリング２０１０の中にはディスクコア２０１１があり、前記アウターリング２０１０とディスクコア２０１１との間には環状分布に複数の同じ傾斜方向の斜めのガイドプレート２０１２が設置され、前記アウターリング２０１０と前記ディスクコア２０１１および隣接するガイドプレート２０１２との間には水路２０２が形成され、前記水路の吐水口２０２２の所には水流ガイド加速盤２上にロッキングされ、それに向いて回転できる羽根車１が設置され、前記羽根車１上には環状分布に複数の羽根１０１が設置され、前記羽根１０１と前記吐水口２０２２は向かい合いになっていて、水の流れを前記吐水口２０２２から流出されて前記羽根１０１を衝撃して羽根車１を回転させ、前記水流ガイド加速盤２には格納スペース２０８が設置され、前記格納スペース２０８の中には前記羽根車１が回転子４０２を回転させる発電機４が設置され、前記発電機４は必要な防水密封措置を取り、前期水流ガイド加速盤は２つあり、それぞれ前記羽根車１の上下両側に設置される静水波力発電装置。
【００２２】
前記格納スペース２０８は前記ディスクコア２０１１の前記羽根車１側に近い中部に設置され、前記発電機４の外固定子４０１は前記ディスクコア２０１１上に固定接続され、前記発電機４の内回転子４０２は前記羽根車１の回転軸１０２上に接続され、回転軸１０２によって駆動回転される。
【００２３】
前記発電機４は、羽根車１の上側又は下側の水流ガイド加速盤２の中のみ設置することができ、両側に同時に設置することもでき、前記発電機４の回転子４０２は前記羽根車１の外側にカバー固定することができ、前記格納スペース２０８は羽根車の外側まで伸ばされ、前記固定子４０１は前記格納スペース２０８の中に固定され、回転子の外側にカバーされる。
【００２４】
前記ディスクコア２０１１と前記アウターリング２０１０は少なくとも１つが円錐体になっていて、前記水路２０２の横断面は段々変化され、前記吐水口２０２２は比較的小さくなる。
【００２５】
前記アウターリング２０１０は円筒形で、前記ディスクコア２０１１は円錐体で、前記ガイドプレート２０１２はアウターリング２０１０の底部に設置され、前記アウターリング２０１０の上部とディスクコア２０１１は水入れキャビティ２０１５を形成する。
【００２６】
前記羽根１０１はアーチ形の羽根であり、前記羽根１０１の凹面は吐水口２０２２を向いていて、水が前記吐水口２０２２から流出される際、前記羽根１０１の凹面を衝撃させる。
【００２７】
前記浮体５の下には下り向け加圧盤６が接続され、前記下り向け加圧盤６の中には水入れキャビティ６０１が設置され、前記水入れキャビティ６０１の上部は開口状で、底部には水漏れ小径穴６０２が設置される。
【００２８】
前記アウターリング２０１０の外側には複数の縦方向回転防止プレート２０５が設置され、前記縦方向回転防止プレート２０５の縦方向高さは厚さに比べてはるかに大きく、前記下り向け加圧盤６の外側には複数の回転防止イヤープレート６０３が設置され、前記縦方向回転防止プレート２０５は前記回転防止イヤープレート６０３と固定接続される。
【００２９】
前記浮体５は中空の密封キャビティである。
【００３０】
前記ガイドプレート２０１２はヘリックス状に傾斜している。
【００３１】
前記羽根車１両側の水流加速盤２の吐水口２０２２の流出方向はいずれも前記羽根１０１の凹面と向かい合っていて、水の流れが前記吐水口２０２２から流出されて前記羽根１０１を同一方向に回転させる。発電装置が上向きに運動する場合、水は前記羽根車１上側の前記水流ガイド加速盤２上側から水路２０２に流れ込み、羽根車１上方の吐水口２０２２から流出され、羽根１０１を衝撃し、羽根車１を回転させる。発電装置が下向きに運動する場合、水は前記羽根車１下側の前記水流ガイド加速盤２下側から水路２０２に流れ込み、羽根車１下方の吐水口２０２２から流出され、羽根１０１を衝撃し、羽根車１を回転させる。上下側水流ガイド加速盤２の水路へリックス方向は反対になっているので、羽根車１はいつも同じ方向に向いて回転するようになる。
【００３２】
発電装置が波に乗って上向きに運動する場合、前記浮体５の浮力は発電装置全体の重量と下部装置の抵抗力を克服して、それが沈まないようにすることによって、装置全体を波とともに上向きに移動させる目的に達成することできる。前記水入れキャビティ６０１中の水の上表面は海水と連通され、浮力を発生させず、発電装置が波とともに下向きに運動する場合、前記水入れキャビティ６０１中の水は速やかに水漏れ小径穴６０２から排出されず、下部装置（下給水口）の抵抗力によって、水入れキャビティ６０１中の水は水面より高くなり、水の重力と抵抗力が等しくなると、水の重力作用によって発電装置を下に押し付け、下向け運動の圧力を大きくして、回転軸の回転トルクを大きくする。
【実施例２】
【００３３】
実施例１との違いとしては、前記格納スペース２０８の中には、前記羽根車１によって駆動されるエアコンプレッサー８が設置され、前記エアコンプレッサー８吸気口と排気口にはそれぞれ水面に延び出される吸気管９と排気管１０が接続され、前記排気管１０は発電機を駆動する気圧モータ１１と繋がる。
【００３４】
前記エアコンプレッサー８はスクリュー式エアコンプレッサーで、その中には、コンプレッサーケーシング８０１が含まれ、前記コンプレッサーケーシング８０１の中にはお互いに噛み合うメイン回転子８０２とサブ回転子８０３が設置される。
【００３５】
前記水流ガイド加速盤２は２つあり、それぞれ前記羽根車１の上下両側に設置され、２つの前記水流ガイド加速盤２の中にはいずれも前記エアコンプレッサー８が設置される。２つのエアコンプレッサーの圧縮ガスは合流されてから気圧モータに送られて動力源となる。
【００３６】
前記エアコンプレッサー８は、渦巻き式又はピストン式などその他のタイプのエアコンプレッサーを使っても良い。
【００３７】
発電機は浮体上面に設置することができ、排気管を装置以外の所（海上ぷラッチホーム又は陸地上）に引き出して、気圧モータを駆動して発電することもでき、これによって、簡単に複数の高圧ガスを合流させて大型発電機を駆動して発電させることができ、集めた高圧ガス源をガス流路に通してそれぞれ異なる発電機を駆動して発電させることもできる。
【実施例３】
【００３８】
実施例２との違いとしては、前記格納スペース２０８の中には前記羽根車１によって駆動される油圧ポンプ１５が設置され、前記油圧ポンプ１５の給油管１６と排油管１７はそれぞれ水面に伸びだされ、前記給油管１６と排油管１７はそれぞれ発電機を駆動する油圧モータ１９と繋がる。油圧ポンプと油圧モータは油圧バルブなど油圧部品で繋がせることもできる。
【００３９】
前記油圧ポンプ１５はスクリュー式油圧ポンプで、その中には、ケーシング１５１があり、前記ケーシング１５１の中にはお互いに噛み合うポンプのメイン回転子１５２とポンプのサブ回転子１５３が設置される。
【００４０】
油圧ポンプ１５も渦巻き式又はピストン式などその他のタイプの油圧ポンプを使用することができる。
【００４１】
発電機は浮体上面に設置することができ、給油管１６と排油管１７を装置以外の所（海上ぷラッチホーム又は陸地上）に引き出して、油圧モータを駆動して発電することもでき、これによって、簡単に複数の油圧サーキットのオイルを合流させて大型油圧モータを駆動し、さらに発電機を駆動して発電させることができ、集めた高圧オイルをパイプラインを通じてそれぞれ異なる油圧モータおよび発電機を駆動して発電させることもできる。
【符号の説明】
【００４２】
５・・・浮体
２・・・水流ガイド加速盤
２０１・・・ディスク
２０１０・・・アウターリング
２０１１・・・ディスクコア
２０１２・・・ガイドプレート
２０２・・・水路
２０２２・・・吐水口
１・・・羽根車
１０１・・・羽根
２０８・・・格納スペース
４・・・発電機
【図１】
0005537739.tif 000002
【図２】
0005537739.tif 000003
【図３】
0005537739.tif 000004
【図４】
0005537739.tif 000005
【図５】
0005537739.tif 000006
【図６】
0005537739.tif 000007
【図７】
0005537739.tif 000008
【図８】
0005537739.tif 000009
【図９】
0005537739.tif 000010
【図１０】
0005537739.tif 000011
【図１１】
0005537739.tif 000012
【図１２】
0005537739.tif 000013
【図１３】
0005537739.tif 000014